(57)【要約】【課題】  トレイに対する回動アームの位置決めを容易に行うことができる光ディスク装置を提供する。【解決手段】  トレイ昇降機構４０がトレイ２０を上下移動させて、所望の光ディスク１２を収容しているトレイ２０を回動アーム３０のトレイ開脚部材である楔状部材３５の先端３５ａの高さ位置に位置決めし、回動アーム３０を回動させて楔状部材３５をトレイ２０間に押し込む。楔状部材３５がトレイ２０間に進入してトレイ２０間を離間させるとともに、回動アーム３０を記録・再生位置に位置決めする。このとき、必要な場合には回動アーム３０は上下機構３４により上昇しながらトレイ２０間に進入する。これにより、トレイ２０の上下位置を位置決めするだけで、回動アーム３０は所望のトレイ２０間に位置決めされるので、容易かつトレイ２０と干渉することなく回動アーム３０の上下位置決めを行うことができる。【選択図】  図５
2006139860.tif 000002
【特許請求の範囲】
【請求項１】
複数の光ディスクを内部に収納可能な本体と、前記本体の内部において前記各光ディスクを個別に保持する積層された複数のトレイと、先端に前記光ディスクを把持して回転するターンテーブルを有し前記光ディスクに対して記録再生を行う光学ヘッド部を移動可能に支持するとともに前記各トレイの積層方向と平行な支軸を中心として回動可能な回動アームとを備えた光ディスク装置であって、
前記積層された複数のトレイを上下移動させるトレイ昇降機構と、前記回動アームを上下移動可能に支持する上下機構とを備え、
前記回動アームの回動方向前端に、隣接する前記トレイ間に押し込んで両トレイ間を所定間隔に離間させるトレイ開脚部材を備えた光ディスク装置。
【請求項２】
前記トレイ開脚部材が、前記トレイ間に割り込む際に、下側のトレイの上面に乗り上げ可能である請求項１に記載の光ディスク装置。
【請求項３】
前記各トレイに設けられて前記各光ディスクを保持する保持部が、前記光ディスクのラベル面側から前記光ディスクを保持する請求項１または請求項２に記載の光ディスク装置。
【請求項４】
前記トレイ昇降機構が、前記複数のトレイを全体として上下移動させるとともに、進入してきた前記トレイ開脚部材の先端よりも上側の前記トレイを上方へ、また、下側の前記トレイを下方へ移動可能に保持している請求項１から請求項３のいずれかに記載の光ディスク装置。
【請求項５】
前記トレイ開脚部材は、前記回動アームの回動動作範囲外に設けられ、前記回動アームの上下移動と連動して上下移動する請求項１から請求項４のいずれかに記載の光ディスク装置。
【発明の詳細な説明】
【技術分野】
【０００１】
本発明は、複数のトレイに収納された複数の光ディスクから所望の光ディスクを選択して記録再生する多連奏型の光ディスク装置に関するものである。
【背景技術】
【０００２】
従来より、複数枚の光ディスクを装置の本体内部に収納しておき、所望の光ディスクを選択して記録再生する多連奏型の光ディスク装置が開発されている（例えば特許文献１参照）。
図１１に示すように、この光ディスク装置１００では、本体１０１の前面に、外径１２ｃｍのＣＤやＤＶＤ等の大径ディスク１０２や、外径１２ｃｍの円環形状のアダプタに外径８ｃｍの小径のＣＤが取り付けられた擬似的なディスク等のメディアを挿入するための挿入口１０３が設けられている。本体１０１における挿入口１０３の内側には、搬入方向に直交して搬送ローラ１０４が回転自在に設けられており、挿入口１０３から挿入され外径検知センサ１０５、１０６によって再生可能なディスクと判断された大径ディスク１０２等を本体内部に搬入するようになっている。
【０００３】
搬送ローラ１０４の後方（図１１において右側）には、複数のトレイ１０７が上下方向に積層して設けられている。このトレイ１０７の後方には、先端にディスク１０２を把持して回転するターンテーブル１０８を有する回動アーム１１０が、回動軸１０９を中心として回動自在に設けられている。回動アーム１１０には、図示省略のピックアップが往復移動自在に設けられており、回動アーム１１０を記録再生位置に回動して位置決めした後に、ピックアップを往復移動させることによりディスク１０２に対して記録再生を行うようになっている。
【特許文献１】特開２００３−３３８１１２号公報（図４）
【発明の開示】
【発明が解決しようとする課題】
【０００４】
ところで、所望の光ディスク１０２の再生や記録を行う際には、トレイ１０７群を所定の高さ位置まで上下移動させるとともに、所望の光ディスク１０２を収容しているトレイ１０７の上に作業空間を設ける。そして、回動アーム１１０も所定高さ位置に位置決めして回動アーム１１０を回動軸１０９を中心として回動させ、作業空間に位置決めする。このため、トレイ１０７の高さ方向位置決めおよび回動アーム１１０の高さ方向位置決めを行う必要があり、両位置決めにおける公差が重なって位置決め誤差が大きくなり、回動アーム１１０とトレイ１０７とが干渉するおそれがあるという問題があった。
【０００５】
本発明は、従来の問題を解決するためになされたもので、トレイに対する回動アームの位置決めを容易に行うことができる光ディスク装置を提供することを目的とする。
【課題を解決するための手段】
【０００６】
本発明の光ディスク装置は、複数の光ディスクを内部に収納可能な本体と、前記本体の内部において前記各光ディスクを個別に保持する積層された複数のトレイと、先端に前記光ディスクを把持して回転するターンテーブルを有し前記光ディスクに対して記録再生を行う光学ヘッド部を移動可能に支持するとともに前記各トレイの積層方向と平行な支軸を中心として回動可能な回動アームとを備えた光ディスク装置であって、前記積層された複数のトレイを上下移動させるトレイ昇降機構と、前記回動アームを上下移動可能に支持する上下機構とを備え、前記回動アームの回動方向前端に、隣接する前記トレイ間に押し込んで両トレイ間を所定間隔に離間させるトレイ開脚部材を備えた構成を有している。
【０００７】
この構成により、トレイ昇降機構がトレイを上下移動させて、所望の光ディスクを収容しているトレイを回動アームの楔状部材の先端の高さ位置に位置決めし、回動アームを回動させてトレイ開脚部材をトレイ間に押し込む。トレイ開脚部材がトレイ間に進入して、トレイ間をトレイ開脚部材の高さに該当する所定間隔に離間させるとともに、回動アームを記録・再生位置に位置決めする。このとき、必要な場合には回動アームは上下機構により上昇しながらトレイ間に進入する。これにより、トレイの上下位置を位置決めするだけで、回動アームは所望のトレイ間に位置決めされるので、トレイと干渉することなく容易に回動アームの上下位置決めを行うことができる。
【０００８】
また、本発明にかかる光ディスク装置は、前記トレイ開脚部材が、前記トレイ間に割り込む際に、下側のトレイの上面に乗り上げ可能である構成を有している。
【０００９】
この構成により、トレイ開脚部材が所定のトレイ間に割り込む際に、下側のトレイの上面に乗り上げて割り込むことができる。これにより、トレイの上下位置をトレイ開脚部材の先端の高さに位置決めするだけで、回動アームは所望のトレイ間に上昇して割り込むので、トレイと干渉することなく容易に回動アームの上下位置決めを行うことができる。
【００１０】
また、本発明にかかる光ディスク装置は、前記各トレイに設けられて前記各光ディスクを保持する保持部が、前記光ディスクのラベル面側から前記光ディスクを保持する構成を有している。
【００１１】
この構成により、トレイの保持部が光ディスクのラベル面側から光ディスクを保持しているので、トレイ間に進入してきた回動アームのターンテーブルに容易に光ディスクをセットすることができる。
【００１２】
また、本発明にかかる光ディスク装置は、前記トレイ昇降機構が、前記複数のトレイを全体として上下移動させるとともに、進入してきた前記トレイ開脚部材の先端よりも上側の前記トレイを上方へ、また、下側の前記トレイを下方へ移動可能に保持している構成を有している。
【００１３】
この構成により、トレイ昇降機構はトレイを上下移動させて所望の光ディスクを収容しているトレイを回動アームのトレイ開脚部材の先端の高さ位置に位置決めする。そして、回動アームを回動させると、トレイ開脚部材の先端よりも高い側のトレイは上側に移動可能であり、トレイ開脚部材の先端よりも低い側のトレイは下側に移動可能なので、トレイ開脚部材がトレイ間を押し広げながら進入し、記録・再生位置まで回動する。
【００１４】
さらに、本発明にかかる光ディスク装置は、前記トレイ開脚部材は、前記回動アームの回動動作範囲外に設けられ、前記回動アームの上下移動と連動して上下移動する構成を有している。
【００１５】
この構成により、トレイ開脚部材をトレイの間に進入させることなく所望のトレイ間を開脚させることができ、回動アームの駆動力を軽減することができる。
【発明の効果】
【００１６】
本発明は、積層された複数のトレイを上下移動させるトレイ昇降機構と、回動アームを上下移動可能に支持する上下機構とを備え、前記回動アームの回動方向前端に、隣接する前記トレイ間に押し込んで両トレイ間を離間させるトレイ開脚部材を設けることにより、回動アームの上下方向位置決めを行うことなくトレイの上下移動位置決めを行うだけで回動アームを所望のトレイ位置に位置決めすることができるという効果を有する光ディスク装置を提供することができるものである。
【発明を実施するための最良の形態】
【００１７】
（実施の形態１）
以下、本発明の第１の実施形態の光ディスク装置について、図面を用いて説明する。
図１には、本発明の実施形態の光ディスク装置１０を内蔵するカーオーディオ装置１の全体斜視図が示されている。このカーオーディオ装置１では、光ディスク装置１０のほかにラジオ２、カセットテープ再生装置３等を内蔵しており、前面パネル４には、全機能に共用される表示部４ａや電源／ボリュームつまみ４ｂに加えて、光ディスク装置１０における光ディスク挿脱口１１、ラジオ用のチューニングつまみ２ａ、カセットテープ挿入口３ａ等が設けられている。また、内部には、ラジオ２、カセットテープ再生装置３、光ディスク装置１０等を制御する図示省略の制御部が設けられている。
なお、図２に示すように、挿脱口１１の本体１３内側には、上下対を成す搬送ローラ１４が設けられており、挿脱口１１に挿入された光ディスク１２を搬入したり、記録再生が完了した光ディスク１２を挿脱口１１から排出するようになっている。
【００１８】
図２には、カーオーディオ装置１に内蔵されている本発明の実施形態である光ディスク装置１０の、図１中II−II位置における断面図が示されている。
図２に示すように、光ディスク装置１０は、複数の光ディスク１２を内部に収納可能な本体１３と、本体１３の内部において各光ディスク１２を個別に保持する積層された複数のトレイ２０と、先端に光ディスク１２を把持して回転するターンテーブル３１を有し光ディスク１２に対して記録再生を行う光学ヘッド部３２を移動可能に支持するとともに各トレイ２０の階層方向と平行な支軸３３を中心として回動可能な回動アーム３０とを備えている。
【００１９】
図２に示すように、回動アーム３０のサスシャーシ３６には、図示省略の光ヘッドを備えた光学ヘッド部３２が、支軸３３とターンテーブル３１の中心とを結ぶ方向に沿って往復移動自在に設けられており、駆動モータ３７によって回転されるリードスクリュ３８によって移動するようになっている。
【００２０】
また、積層された複数のトレイ２０を上下移動させるトレイ昇降機構４０（図３参照）と、回動アーム３０を上下移動可能に支持する上下機構３４とを備え、回動アーム３０の回動方向前端３０ａに、隣接するトレイ２０、２０間に押し込んで両トレイ２０、２０間を離間させるトレイ開脚部材としての楔状部材３５を備えている。
楔状部材３５は、図５に示すように、トレイ２０間に設ける作業空間Ｓの大きさを有し、先端３５ａが尖って、下面３５ｂと上面３５ｃが後方に向かって開くように傾斜して設けられている。また、下面３５ｂの下端部は底板３５ｄにスムーズに接続されている。従って、楔状部材３５の高さに相当する作業空間Ｓが確保されることになる。なお、楔状部材３５は、作業空間Ｓを確保した後は、先端３５ａをヒンジにして上面３５Ｃを下面３５ｂの上に折畳んで、光ディスク１２をターンテーブル３１に載置する際に邪魔にならないようにする。
【００２１】
また、各トレイ２０の外周縁には、光ディスク１２をトレイ２０の下面側に保持する保持部２１が複数箇所設けられており、光ディスク１２のラベル面１２ａを上にし、記録面１２ｂを下にして、光ディスク１２の外周縁を把持するようになっている。この保持部２１は、回動する爪部２２を有しており、光ディスク１２を収容している状態では爪部２２が光ディスク１２の記録面１２ｂ側の外周縁を把持し、記録・再生時には爪部２２が下方に開いて、光ディスク１２をターンテーブル３１に届くように落下させる。但し、爪部２２が開いた状態でも、光ディスク１２が爪部２２から完全に落下することがないようにしている。
なお、各トレイ２０では、アーム部２３の先端に貫通穴２４が設けられており、本体１３の底部１３ａに立設されているポスト１５に沿って上下移動可能に支持されている。
【００２２】
図３に示すように、トレイ昇降機構４０は、最上段のトレイ２０ａの上側に設けられている部分円盤状のギヤ板４１と、このギヤ板４１を回動させる作用棹４２と、この作用棹４２を往復移動させる図示省略のモータおよびギヤ群４４と、ギヤ板４１の外周面に複数箇所形成されているギヤ部４１ａに噛合するカムギヤ４５とから構成されている。ギヤ板４１は、略トレイ２０と同様の大きさの外径の大径部分と小径部分とを有する部分円盤状の部材であり、ギヤ部４１ａは、ギヤ板４１の回転運動を可能に保持するため、大径部分の外周面に最低３箇所形成されている。また、小径部分の外周面にはギヤ部４１ｂが１箇所形成されており、このギヤ部４１ｂには作用棹４２の先端に形成されているギヤ部４２ａが噛合している。また、作用棹４２の基端部にもギヤ部４２ｂが形成されており、ギヤ群４４の最後のギヤ４４ｂが噛合している。なお、ギヤ板４１はトレイ２０群の上に設けられているので、作用棹４２およびギヤ群４４もトレイ２０群よりも上方に設けられている。
【００２３】
トレイ持ち上げ部材４３の回転軸にはギヤ４３ａが取付けられており、第１のギヤ４４ａに噛合している。第１のギヤ４４ａは、第２のギヤ４４ｃに噛合している。図３（Ｂ）、（Ｃ）に示すように、第２のギヤ４４ｃは円筒形状をした上下方向に厚いギヤであり、第１のギヤ４４ａに噛合した状態で第１のギヤ４４ａに対して上下移動可能となっている。
一方、カムギヤ４５は、図４に示すように、ギヤ板４１のギヤ部４１ａに噛合するギヤ部４６と、外周面に螺旋状のカム突起４７ａが形成されたカム部４７を有しており、ギヤ部４６およびカム部４７は、軸４８を中心として一体で回転するようになっている。カム突起４５ｃは、トレイ２０群を下側から支持している受けトレイ２０ｄの外周縁を下側から支持しており、カム部４５ｂが回転すると受けトレイ２０ｄを上下移動させるようになっている。また、カム部４５ｂは、スプリング４９によって常時上方へ付勢されており、カム突起４７ａが支持している受けトレイ２０ｄやその上にあるトレイ２０群に、一定以上の下向きの力が作用すると、下降できるようになっている。
【００２４】
従って、トレイ昇降機構４０においては、トレイ持ち上げ部材４３がギヤ群４４の第１のギヤ４４ａを回転させると、一連のギヤ群４４を介して最後のギヤ４４ｂが作用棹４２を往復移動させる。この作用棹４２の往復移動によってギヤ板４１が回転され、カムギヤ４５を回転させることにより、カム突起４７ａに支持されているギヤ板４１を上下移動させ、トレイ２０群全体を上下移動させる。なお、トレイ２０群あるいは受けトレイ２０ｄに一定以上の下向きの外力が作用すると、カムギヤ４５のカム部４７がスプリング４９の付勢力に抗して下降するので、ギヤ板４１、受けトレイ２０ｄおよびトレイ２０群が下降することになる。
【００２５】
以上のように構成された光ディスク装置１０について、図５〜図７を用いてその動作を説明する。
まず、図５に基づいて、最も上段（１枚目）のトレイ２０ａに収容されている光ディスク１２について記録・再生を行う場合について説明する。なお、図５（Ａ）に示すように、回動アーム３０に設けられている楔状部材３５は、回動アーム３０およびトレイ２０が最も下方位置すなわち本体１３の底部１３ａ上にある場合において、１枚目のトレイ２０ａと２枚目のトレイ２０ｂとの間に楔状部材３５の先端３５ａが位置するように構成されている。
【００２６】
まず、図５に基づいて、１枚目のトレイ２０ａに収容されている光ディスク１２の記録・再生を行う場合について説明する。
この場合には、図５（Ａ）に示すように、回動アーム３０の楔状部材３５および積層されているトレイ２０は最も下である本体１３の底部１３ａ付近に位置しており、前述したように楔状部材３５の先端３５ａは、１枚目のトレイ２０ａと２枚目のトレイ２０ｂとの間に位置している。従って、この状態から回動アーム３０を支軸３３を中心として回動させ、図５（Ｂ）に示すように、楔状部材３５の先端３５ａを１枚目のトレイ２０ａと２枚目のトレイ２０ｂとの間に押し込む。２枚目のトレイ２０ｂおよびこの下側にあるトレイ２０は、それ以上、下降できないので、楔状部材３５の下面３５ｂが２枚目のトレイ２０ｂに沿って移動して、楔状部材３５を上昇させる。また、楔状部材３５は先端３５ａから後方に向けて上下幅が拡大しているので、同時に１枚目のトレイ２０ａを上昇させて、１枚目のトレイ２０ａと２枚目のトレイ２０ｂとの間を離間させる。図５（Ｃ）に示すように、上昇した１枚目のトレイ２０ａが落下しないように例えばブレーキ等によって固定した後、楔状部材３５の上面３５ｃおよび下面３５ｂを折畳む。
これにより、回動アーム３０は、１枚目のトレイ２０ａの下側において、記録・再生位置に位置決めされるので、１枚目のトレイ２０ａの保持部２１の爪部２２を開放して光ディスク１２を下降させ、ターンテーブル３１の上に載置して記録・再生を行う。
【００２７】
次に、図６に基づいて、最下段のトレイ２０ｃに収納されている光ディスク１２の記録・再生を行う場合について説明する。
最下段のトレイ２０ｃに収納されている光ディスク１２の記録・再生を行うには、回動アーム３０を最下段のトレイ２０ｃの下側に位置決めする必要があるため、まず、図６（Ａ）に示すように、回動アーム３０の楔状部材３５の先端３５ａが最下段のトレイ２０ｃの下側に位置するように、トレイ２０をトレイ昇降機構４０により上昇させる。次に、図６（Ｂ）に示すように、回動アーム３０を回動させて、楔状部材３５を最下段のトレイ２０ｃの下側に押し込む。このとき、最下段のトレイ２０ｃの下側の受けトレイ２０ｄは下方への移動が可能となっているので、回動アーム３０は上下移動することなく回動する。すなわち、回動アーム３０の楔状部材３５は、受けトレイ３０ｄを最下位置まで下降させると同時に、最下段のトレイ２０ｃから上のトレイ２０を上昇させながら回動して、６枚目のトレイ２０ｃと受けトレイ２０ｄとの間を離間させる。図６（Ｃ）に示すように、上昇した６枚目のトレイ２０ｃが落下しないように例えばブレーキ等によって固定した後、楔状部材３５の上面３５ｃおよび下面３５ｂを折畳む。
これにより、回動アーム３０は、最下段のトレイ２０ｃの下側において、作業空間Ｓを確保して記録・再生位置に位置決めされるので、最下段のトレイ２０ｄの保持部２１の爪部２２を開放して光ディスク１２を下降させ、ターンテーブル３１の上に載置して記録・再生を行う。
【００２８】
次に、図７に基づいて、２枚目のトレイ２０ｂから最下段のトレイ２０ｃの上すなわち５段目のトレイ２０ｅに収容されている光ディスク１２の記録・再生を行う場合について説明する。
図７（Ａ）に示すように、トレイ昇降機構４０によってトレイ２０を上昇させて、回動アーム３０の楔状部材３５の先端３５ａが所望の光ディスク１２を収容しているトレイ２０の下側に位置するようにする。図７（Ｂ）に示すように、この状態で、回動アーム３０を回動させて、楔状部材３５の先端３５ａをトレイ２０間に押し込むと、楔状部材３５の下面３５ｂの作用によって、所定のトレイ２０の下側のトレイ２０を、受けトレイ２０ｄが本体１３の底部１３ａに達するまで押し下げる。同時に、楔状部材３５の上面３５ｃが所定のトレイ２０から上側のトレイ２０を持ち上げる。受けトレイ２０ｄが本体１３の底部１３ａに当接して下降が停止すると、楔状部材３５の下面３５ｂの作用により楔状部材３５はトレイ２０の上にせり上がりながら、両トレイ間を離間させる。その後、図７（Ｃ）に示すように、上昇した側のトレイ２０が落下しないように例えばブレーキ等によって固定した後、楔状部材３５の上面３５ｃおよび下面３５ｂを折畳む。
これにより、回動アーム３０は、所望のトレイ２０の下側において、作業空間Ｓを確保して記録・再生位置に位置決めされるので、所望のトレイ２０の保持部２１の爪部２２を開放して光ディスク１２を下降させ、ターンテーブル３１の上に載置して記録・再生を行う。
【００２９】
このような本発明の第１の実施の形態の光ディスク装置１０によれば、トレイ昇降機構４０がトレイ２０を上下移動させて、所望の光ディスク１２を収容しているトレイ２０を回動アーム３０の楔状部材３５の先端３５ａの高さ位置に位置決めし、回動アーム３０を回動させて楔状部材３５をトレイ２０間に押し込む。これにより、回動アーム３０の高さ方向位置決めは楔状部材３５によって自動的に行われるので、回動アーム３０の高さ方向位置決めは行う必要がなく、回動アーム３０の位置決め誤差は発生しないので、トレイ２０の位置決めの公差のみ考慮すればよく、位置決め精度が向上する。
【００３０】
なお、以上の説明では、６枚のトレイ２０を積層している光ディスク装置１０について動作説明したが、その他の枚数のトレイ２０を積層した場合についても同様に実施可能である。
（実施の形態２）
【００３１】
次に、本発明の第２の実施形態について説明する。図８は、本発明の第２の実施の形態のトレイ昇降機構を示す図である。図８において、図３と同じ構成要素については同じ符号を用い、重複する説明を省略する。
【００３２】
図８において、本発明の実施の形態１と大きく異なる点は、実施の形態１で用いた開脚部材として、トレイ開脚部材として楔状部材３５は用いず、代わりに図示しない回転駆動手段の駆動力によって回転する回転軸７８にトレイ持上げ部材７５が嵌入されている点である。従って、回転駆動手段によってトレイ持上げ部材７５が回転され、このトレイ持上げ部材７５と連動して動作する複数のトレイ持上げ部材８５を用いて所望のトレイ２０間の開脚を実現している点である。
【００３３】
図９に示すように、トレイ持上げ部材７５は各トレイの端部に設けられた各トレイ凸部２５の隣接する２つの間に回転することによって入り込む構造をしており、トレイ持上げ部材７５の外周面にはカム部７５ａが設けられている。カム部７５ａは、隣接する２つのトレイ凸部２５の間に入り込んだ後、更に回転することでトレイ凸部２５を載せてトレイ２０を持ち上げるための傾斜部７５ｃと、更に回転してトレイ２０を一定の高さまで持上げた状態においてトレイ凸部２５を載置してトレイ２０を一定高さに保持するための載置部７５ｂとを有している。
【００３４】
トレイ２０の周囲に複数設けられたトレイ持上げ部材８５についても、前述したトレイ持上げ部材７５と同様の形状をしており、これらトレイ持上げ部材７５と複数のトレイ持ち上げ部材８５は、同じ高さに位置するよう保持されている。従って、図９においてはトレイ凸部２５はトレイ２０の外周部の一箇所のみに示してあるが、トレイ持上げ部材７５と複数のトレイ持ち上げ部材８５に対応して、ここでは４箇所に設けられている。さらに、このトレイ持上げ部材７５およびトレイ持ち上げ部材８５の高さ方向の移動は回動アーム３０と連動するように構成されているが、回動アーム３０の回動動作とは連動しないように構成されている。
なお、図９では、理解しやすいようにトレイ凸部２５とトレイ持上げ部材７５とが実際のものよりも若干離れた位置で描かれている。
【００３５】
図８に示すように、回転軸７８に嵌入された持上げ部材７５の上部にあって、同じ回転軸７８に嵌入されたギヤ部材７６は、第１のギヤ４４ａに噛合している。第１のギヤ４４ａは、第２のギヤ４４ｃに噛合している。図８（Ｂ）、（Ｃ）に示すように、第２のギヤ４４ｃは円筒形状をした上下方向に厚いギヤであり、第１のギヤ４４ａに噛合した状態で第１のギヤ４４ａに対して上下移動可能となっている。
【００３６】
また、トレイ持上げ部材７５およびギヤ部材７６と同形状のトレイ持上げ部材８５およびギヤ部材８６、さらに、トレイ凸部２５（図９参照）がトレイの周囲の複数箇所（本実施の形態においては３箇所）設けられている。これら複数のトレイ持上げ部材８５、ギヤ部材８６、トレイ凸部２５は実施の形態１と同様に、最上段のトレイ２０ａの上側に設けられている部分円盤状のギヤ板４１と、このギヤ板４１を回動させる作用棹４２と、この作用棹４２を往復移動させる図示省略のモータおよびギヤ群４４と、ギヤ板４１の外周面に複数箇所形成されているギヤ部４１ａに噛合するカムギヤ４５とを用いて連動するように構成されている。
【００３７】
また、図１０に示すように、トレイ持上げ部材７５（８５）は、スプリング７９（８９）によって常時上方へ付勢されており、トレイ持上げ部材７５（８５）が支持している受けトレイ２０ｄ（図８参照）の凸部２５ｄやその上にあるトレイ２０群に、一定以上の下向きの力が作用すると、下降できるようになっている。
【００３８】
以上のように構成された光ディスク装置１０について、その動作を説明する。
まず、最も上段（１枚目）のトレイ２０ａに収容されている光ディスク１２について記録・再生を行う場合について説明する。なお、回動アーム３０に設けられているトレイ持上げ部材７５は、回動アーム３０およびトレイ２０が最も下方位置すなわち本体１３の底部１３ａ上にある場合において、１枚目のトレイ２０ａと２枚目のトレイ２０ｂとの間に傾斜部７５ｃの下端が位置するように構成されている。
【００３９】
まず、１枚目のトレイ２０ａに収容されている光ディスク１２の記録・再生を行う場合について説明する。
この場合には、トレイ持上げ部材７５の傾斜部７５ｃの下端および積層されているトレイ２０は最も下である本体１３の底部１３ａ付近に位置しており、この傾斜部７５ｃ下端は１枚目のトレイ２０ａの凸部２５ａと２枚目のトレイ２０ｂの凸部２５ｂとの間に位置している。この状態からトレイ持上げ部材７５の回転軸を回転させ、トレイ持上げ部材７５の傾斜部７５ｃ下端を１枚目のトレイ２０ａと２枚目のトレイ２０ｂとの間に押し込む。２枚目のトレイ２０ｂおよびこの下側にあるトレイ２０は、それ以上、下降できないので、さらにトレイ持上げ部材７５が回転することによって傾斜部７５ｃの下面が２枚目のトレイ２０ｂの凸部２５ｂに沿って乗り上げて、トレイ持上げ部材７５を上昇させる。
【００４０】
また、トレイ持上げ部材７５は傾斜部７５ｃの先端から後方に向けて上下幅が拡大しているので、同時に１枚目のトレイ２０ａの凸部２５ａを上昇させて、１枚目のトレイ２０ａと２枚目のトレイ２０ｂとの間を離間させる。また、この回転動作はギヤ群４４、作用棹４２ギヤ板４１によって複数のトレイ持上げ部材８５に伝達される。つまり、トレイ持上げ部材７５に同期して複数のトレイ持上げ部材８５が同様に回転動作することで複数箇所によるトレイの同時開脚が可能となり、トレイが安定な平行状態で開脚されることとなる。
これにより、回動アーム３０は、１枚目のトレイ２０ａの下側において、記録・再生位置に位置決めされるので、１枚目のトレイ２０ａの保持部２１の爪部２２を開放して光ディスク１２を下降させ、ターンテーブル３１の上に載置して記録・再生を行う。
【００４１】
次に、最下段のトレイ２０ｃに収納されている光ディスク１２の記録・再生を行う場合について説明する。
最下段のトレイ２０ｃに収納されている光ディスク１２の記録・再生を行うには、回動アーム３０を最下段のトレイ２０ｃの下側に位置決めする必要があるため、まず、トレイ持上げ部材７５（８５）の傾斜部７５ｃ（８５ｃ）下端が最下段のトレイ２０ｃの下側に位置するように、トレイ２０を昇降機構により上昇させる。次に、トレイ持上げ部材７５（８５）の回転軸を回転させて、トレイ持ち上げ部材７５の傾斜部７５ｃ（８５ｃ）の下端を最下段のトレイ２０ｃの下側に押し込む。このとき、最下段のトレイ２０ｃの下側の受けトレイ２０ｄは下方への移動が可能となっているので、回動アーム３０は上下移動することがない。
【００４２】
すなわち、トレイ持上げ部材７５（８５）の傾斜部７５ｃ（８５ｃ）下端は、受けトレイ３０ｄを最下位置まで下降させると同時に、最下段のトレイ２０ｃから上のトレイ２０を上昇させながら回動して、６枚目のトレイ２０ｃと受けトレイ２０ｄとの間を離間させる。上昇した６枚目のトレイ２０ｃが落下しないようにトレイ持上げ部材７５（８５）の載置部７５ｂにトレイ２０ｃの凸部２５ｃを載置した後、回動アーム３０を回動させる。
これにより、回動アーム３０は、最下段のトレイ２０ｃの下側において、作業空間を確保して記録・再生位置に位置決めされるので、最下段のトレイ２０ｄの保持部２１の爪部２２を開放して光ディスク１２を下降させ、ターンテーブル３１の上に載置して記録・再生を行う。
【００４３】
次に、２枚目のトレイ２０ｂから最下段のトレイ２０ｃの上すなわち５段目のトレイ２０ｅに収容されている光ディスク１２の記録・再生を行う場合について説明する。
トレイ２０を昇降機構によってトレイ２０を上昇させて、トレイ持上げ部材７５（８５）の傾斜部７５ｃ（８５ｃ）下端が所望の光ディスク１２を収容しているトレイ２０の下側に位置するようにする。この状態で、トレイ持上げ部材７５（８５）の回転軸を回転させて、トレイ持ち上げ部材７５の傾斜部７５ｃ（８５ｃ）下端をトレイ２０間に押し込み回転し続けると、トレイ持上部材７５のカム部７５ａの下面の作用によって、所定のトレイ２０の下側のトレイ２０を、受けトレイ２０ｄが本体１３の底部１３ａに達するまで押し下げる。同時に、トレイ持上げ部材７５（８５）の傾斜部７５ｃ（８５ｃ）が所定のトレイ２０の凸部を持上げることで所定のトレイ２０から上側のトレイ２０を持ち上げる。受けトレイ２０ｄが本体１３の底部１３ａに当接して下降が停止すると、トレイ持上げ部材７５（８５）のカム部７５ａの下面の作用によりトレイ持上げ部材７５（８５）のカム部はその下にあるトレイ２０の凸部２５上にせり上がりながら、両トレイ間を離間させる。その後、上昇した側のトレイ２０が落下しないように上昇した側のトレイ２０に設けられた凸部２５をトレイ持上げ部材の載置部７５ｂに載置する。その後、回動アーム３０を回動させて、開脚したトレイ間に進入させる。
【００４４】
これにより、回動アーム３０は、所望のトレイ２０の下側において、作業空間を確保して記録・再生位置に位置決めされるので、所望のトレイ２０の保持部２１の爪部２２を開放して光ディスク１２を下降させ、ターンテーブル３１の上に載置して記録・再生を行う。
【００４５】
このような本発明の第２の実施形態の光ディスク装置１０によれば、回動アーム３０がディスクを記録または再生させるために回動するための動作を妨げない位置にトレイ持上げ部材７５、８５が設けられており、なおかつ、これらのトレイ持上げ部材７５、８５が回動アームの上下移動に連動しているため、トレイ２０を上下移動させて、所望の光ディスク１２を収容しているトレイ２０をトレイ持上げ部材７５、８５の傾斜部７５ｃ、８５ｃ下端の高さ位置に位置決めすれば、トレイ持上げ部材７５、８５を回転させてトレイ持上げ部材７５、８５の傾斜部７５ｃ、８５ｃをトレイ２０間に押し込み、回動アーム３０の高さ方向位置決めはトレイ持上げ部材７５、８５によって自動的に行われる。そのため、トレイ持上げ部材７５、８５と高さ方向の移動が連動する回動アーム３０の高さ方向位置決めは行う必要がなく、回動アーム３０の位置決め誤差は発生しないので、トレイ２０の位置決めの公差のみ考慮すればよく、位置決め精度が向上する。
さらに、トレイ持上げ部材７５、８５がトレイ２０の端部に設けられた凸部２５を載置する載置部７５ｂ、８５ｂを有するため、トレイの開脚を確実に保持した状態で回動アーム３０を回動させることができる。
【産業上の利用可能性】
【００４６】
以上のように、本発明に係る光ディスク装置は、積層された複数のトレイを上下移動させるトレイ昇降機構と、回動アームを上下移動可能に支持する上下機構とを備え、前記回動アームの回動方向前端に、隣接する前記トレイ間に押し込んで両トレイ間を離間させる楔状部材を設けることにより、回動アームの上下方向位置決めを行うことなくトレイの上下移動位置決めを行うだけで回動アームを所望のトレイ位置に位置決めすることができるという効果を有する光ディスク装置を提供することができるという効果を有し、複数のトレイに収納された複数の光ディスクから所望の光ディスクを選択して記録再生する多連奏型の光ディスク装置等として有用である。
【図面の簡単な説明】
【００４７】
【図１】本発明の実施形態の光ディスク装置を内蔵するカーオーディオ装置の全体斜視図
【図２】本発明の実施の形態である光ディスク装置の図１中II−II位置から見た待機状態の平面図
【図３】（Ａ）トレイ昇降機構の平面図  （Ｂ）トレイ群が下降位置にある場合のモータとギヤ群との高さ位置関係を示す断面図  （Ｃ）トレイ群が上昇位置にある場合のモータとギヤ群との高さ位置関係を示す断面図
【図４】（Ａ）トレイ群の昇降を行うカムギヤの平面図  （Ｂ）カムギヤの側面図
【図５】（Ａ）１枚目の光ディスクの記録・再生を行う際の最初のステップを示す断面図  （Ｂ）１枚目の光ディスクの記録・再生を行う際の途中のステップを示す断面図  （Ｃ）１枚目の光ディスクの記録・再生を行う際の最後のステップを示す断面図
【図６】（Ａ）６枚目の光ディスクの記録・再生を行う際の最初のステップを示す断面図  （Ｂ）６枚目の光ディスクの記録・再生を行う際の途中のステップを示す断面図  （Ｃ）６枚目の光ディスクの記録・再生を行う際の最後のステップを示す断面図
【図７】（Ａ）３枚目の光ディスクの記録・再生を行う際の最初のステップを示す断面図  （Ｂ）３枚目の光ディスクの記録・再生を行う際の途中のステップを示す断面図  （Ｃ）３枚目の光ディスクの記録・再生を行う際の最後のステップを示す断面図
【図８】所望のトレイ間に作業空間を設けるトレイ持ち上げ機構を示す斜視図
【図９】トレイ開脚機構の斜視図
【図１０】トレイ開脚機構の要部拡大図
【図１１】従来の光ディスク装置のブロック図
【符号の説明】
【００４８】
１０  光ディスク装置
１２  光ディスク
１２ａ  ラベル面
１３  本体
２０  トレイ
２１  保持部
３０  回動アーム
３１  ターンテーブル
３２  光学ヘッド部
３３  支軸
４０  トレイ昇降機構
３４  上下機構
３５  楔状部材（トレイ開脚部材）
３５ａ  先端
５０  トレイ持ち上げ機構
７５、８５  トレイ持上げ部材（トレイ開脚部材）
【図１】
2006139860.tif 000003
【図２】
2006139860.tif 000004
【図３】
2006139860.tif 000005
【図４】
2006139860.tif 000006
【図５】
2006139860.tif 000007
【図６】
2006139860.tif 000008
【図７】
2006139860.tif 000009
【図８】
2006139860.tif 000010
【図９】
2006139860.tif 000011
【図１０】
2006139860.tif 000012
【図１１】
2006139860.tif 000013